(57)【要約】【課題】リード群と集電部材との接合部における電気抵抗を低減し、充放電に伴う発熱を抑制できる蓄電装置、及び車両を提供すること。【解決手段】シート状をなすセパレータを間に挟んだ状態で正極シート２１及び負極シートが層状をなす電極体２５における正極シート２１の少なくとも１辺から延出形成された正極リード２１ａが層状をなして構成される正極集電部２８と、正極集電端子３０とを導電性エポキシ樹脂３３により接合した二次電池であって、導電性エポキシ樹脂３３は、導電性を有し、且つ正極集電部２８において隣り合う正極リード２１ａ間の隙間３７の少なくとも一部に充填されて隣り合う正極リード２１ａ同士を接合するとともに隣り合う正極リード２１ａを正極集電端子３０に接合している。【選択図】図５
2013168317.tif 000002
【特許請求の範囲】
【請求項１】
シート状をなすセパレータを間に挟んだ状態で正極シート及び負極シートが層状をなす電極体における前記正極シート及び前記負極シートの少なくとも１辺から延出形成された電極リードが層状をなして構成されるリード群と、集電部材とを接合材により接合した蓄電装置であって、
前記接合材は、導電性を有し、且つ前記リード群において隣り合う電極リード間の隙間の少なくとも一部に充填されて前記隣り合う電極リード同士を接合するとともに前記隣り合う電極リードを前記集電部材に接合していることを特徴とする蓄電装置。
【請求項２】
前記集電部材には、前記リード群を構成する電極リードのうち少なくとも先端部が収容される収容部が形成されていることを特徴とする請求項１に記載の蓄電装置。
【請求項３】
前記集電部材は、前記リード群の先端部と対向する対向面を有し、前記対向面は平坦に形成されていることを特徴とする請求項１または２に記載の蓄電装置。
【請求項４】
前記集電部材は、前記リード群の先端部と対向する対向面を有し、前記対向面には前記隣り合う電極リードの間に配置される凸部が形成されていることを特徴とする請求項１または２に記載の蓄電装置。
【請求項５】
前記集電部材には、前記電極リードの先端部から根元部に向かう方向に延びるとともに、前記電極リードの積層方向において前記リード群に隣り合う延出部が形成されており、
前記延出部における前記リード群と対向する面は、前記延出部の先端部側が前記延出部の根元部側よりも前記リード群に近づく形状をしていることを特徴とする請求項１〜４のいずれか１項に記載の蓄電装置。
【請求項６】
前記集電部材には、前記電極リードの先端部から根元部に向かう方向に延びるとともに、前記電極リードの積層方向において前記電極リードと隣り合う延出部が形成されており、前記延出部の先端部には、前記電極リードの延出方向と直交する方向の断面積が、前記延出部の根元部の断面積より大きい規制部が形成されていることを特徴とする請求項１〜４のいずれか１項に記載の蓄電装置。
【請求項７】
請求項１〜６のいずれか１項に記載の蓄電装置を搭載したことを特徴とする車両。
【発明の詳細な説明】
【技術分野】
【０００１】
本発明は、リード群と集電部材とを接合材により接合した蓄電装置、及びこの蓄電装置を搭載した車両に関する。
【背景技術】
【０００２】
従来から、蓄電装置としては、リチウムイオン二次電池やニッケル水素二次電池などがよく知られている。例えばニッケル水素二次電池では、電極シートが層状をなす電極体における電極シートの１辺から延出形成された電極リードが層状をなして形成されたリード群と、ケースの外部に露出する外部端子とを、集電部材により電気的に接続することが行われている（例えば、特許文献１）。特許文献１の二次電池では、正極の各電極リードと集電部材とをロウ付けして接合し、電気的に接続した構成とされている。
【先行技術文献】
【特許文献】
【０００３】
【特許文献１】特開２００６−３０２７８１号公報
【発明の概要】
【発明が解決しようとする課題】
【０００４】
しかしながら、特許文献１の二次電池において、リード群をなす電極リードと、集電部材とはあくまで先端部でのみロウ付けされているに過ぎない。一般に、リード群と集電部材との接合部では、電気抵抗によって発熱し易いことが知られており、リード群と集電部材との接合部における電気抵抗をさらに低減し、充放電に伴う発熱を抑制することが期待されている。このようなことは、電気二重層キャパシタにおいても同様に言える。
【０００５】
この発明は、上記従来技術に存在する問題点に着目してなされたものであり、その目的は、リード群と集電部材との接合部における電気抵抗を低減し、充放電に伴う発熱を抑制できる蓄電装置、及び車両を提供することにある。
【課題を解決するための手段】
【０００６】
上記課題を解決するために、請求項１に記載の発明は、シート状をなすセパレータを間に挟んだ状態で正極シート及び負極シートが層状をなす電極体における前記正極シート及び前記負極シートの少なくとも１辺から延出形成された電極リードが層状をなして構成されるリード群と、集電部材とを接合材により接合した蓄電装置であって、前記接合材は、導電性を有し、且つ前記リード群において隣り合う電極リード間の隙間の少なくとも一部に充填されて前記隣り合う電極リード同士を接合するとともに前記隣り合う電極リードを前記集電部材に接合していることを要旨とする。
【０００７】
これによれば、リード群において隣り合う電極リード間の隙間の少なくとも一部に、導電性を有する接合材が充填されることにより、隣り合う電極リード同士が接合されるとともに隣り合う電極リードが集電部材に接合されている。このため、電極リードの先端部でのみ集電部材と接合された従来の構成と比較して、リード群と集電部材との接合部における導電性を高めることができる。したがって、リード群と集電部材との接合部における電気抵抗を低減し、充放電に伴う発熱を抑制することができる。
【０００８】
請求項２に記載の発明は、請求項１に記載の蓄電装置において、前記集電部材には、前記リード群を構成する電極リードのうち少なくとも先端部が収容される収容部が形成されていることを要旨とする。これによれば、収容部にリード群を構成する電極リードの少なくとも先端部を収容した状態で接合することができるため、リード群と集電部材とをより確実に接合することができる。
【０００９】
請求項３に記載の発明は、請求項１または２に記載の蓄電装置において、前記集電部材は、前記リード群の先端部と対向する対向面を有し、前記対向面は平坦に形成されていることを要旨とする。これによれば、集電部材においてリード群の先端部と対向する対向面が平坦に形成されていることから、集電部材を簡便に形成することができる。
【００１０】
請求項４に記載の発明は、請求項１または２に記載の蓄電装置において、前記集電部材は、前記リード群の先端部と対向する対向面を有し、前記対向面には前記隣り合う電極リードの間に配置される凸部が形成されていることを要旨とする。
【００１１】
これによれば、集電部材においてリード群の先端部が対向する対向面には、隣り合う電極シートの間に配置される凸部が形成されている。したがって、電極リードと集電部材とが近接して配置される領域を大きくし、リード群と集電部材との接合部における電気抵抗をさらに低減することができる。
【００１２】
請求項５に記載の発明は、請求項１〜４のいずれか１項に記載の蓄電装置において、前記集電部材には、前記電極リードの先端部から根元部に向かう方向に延びるとともに、前記電極リードの積層方向において前記リード群に隣り合う延出部が形成されており、前記延出部における前記リード群と対向する面は、前記延出部の先端部側が前記延出部の根元部側よりも前記リード群に近づく形状をしていることを要旨とする。
【００１３】
これによれば、集電部材には、電極リードの積層方向においてリード群に隣り合う延出部が形成されているとともに、この延出部におけるリード群と対向する面は、延出部の先端部側が延出部の根元部側よりもリード群に近づく形状をしている。このため、延出部とリード群との間に接合材を充填することにより、リード群及び接合材が集電部材から離脱する方向に力が付与された場合であっても、延出部におけるリード群と対向する面と干渉することによって、リード群及び接合材が集電部材から離脱してしまうことを抑制できる。
【００１４】
請求項６に記載の発明は、請求項１〜４のいずれか１項に記載の蓄電装置において、前記集電部材には、前記電極リードの先端部から根元部に向かう方向に延びるとともに、前記電極リードの積層方向において前記電極リードと隣り合う延出部が形成されており、前記延出部の先端部には、前記電極リードの延出方向と直交する方向の断面積が、前記延出部の根元部の断面積より大きい規制部が形成されていることを要旨とする。
【００１５】
これによれば、集電部材には、電極リードの積層方向においてリード群に隣り合う延出部が形成されているとともに、この延出部の先端部には、電極リードの延出方向と直交する方向の断面積が、延出部の根元部の断面積より大きい規制部が形成されている。このため、延出部と電極リードとの間に接合材を充填することにより、リード群及び接合材が集電部材から離脱する方向に力が付与された場合であっても、延出部における規制部と干渉することによって、リード群及び接合材が集電部材から離脱してしまうことを抑制できる。
【００１６】
請求項７に記載の発明は、車両において、請求項１〜６のいずれか１項に記載の蓄電装置を搭載したことを要旨とする。これによれば、リード群と集電部材との接合部における発熱によって蓄電装置としての性能に悪影響を及ぼすことを抑制できる。したがって、蓄電装置の交換サイクルが短くなることを抑制できる。
【発明の効果】
【００１７】
本発明によれば、リード群と集電部材との接合部における電気抵抗を低減し、充放電に伴う発熱を抑制できる。
【図面の簡単な説明】
【００１８】
【図１】二次電池を模式的に示す斜視図。
【図２】分解した電極体を模式的に示す斜視図。
【図３】正極集電部と正極集電端子との接合部を模式的に示す分解斜視図。
【図４】正極集電部と正極集電端子との接合部を模式的に示す斜視図。
【図５】図４に示すＡ−Ａ線断面図。
【図６】別の実施形態における正極集電部と正極集電端子との接合部を模式的に示す斜視図。
【図７】別の実施形態における正極集電部と正極集電端子との接合部を模式的に示す斜視図。
【図８】（ａ）は、別の実施形態における正極集電部と正極集電端子との接合部を模式的に示す断面図、（ｂ）及び（ｃ）は、別の実施形態における平板部を模式的に示す断面図。
【発明を実施するための形態】
【００１９】
以下、本発明を具体化した一実施形態を図１〜図５にしたがって説明する。
図１に示すように、車両（例えば産業車両や乗用車両）に搭載される蓄電装置としての二次電池１０は、全体として扁平な略直方体状をなすケース１１を備えている。ケース１１は、有底筒状（本実施形態では四角筒状）に形成された本体部材１２、及び本体部材１２の開口部１２ａを密閉するように、本体部材１２に組み付けられる平板状（本実施形態では矩形平板状）をなす蓋部材１３から形成されている。本体部材１２、及び蓋部材１３は、何れも金属（例えばステンレスやアルミニウムなど）から形成されている。以下の説明では、矢印Ｙ１に示すケース１１の長手方向を左右方向と示し、矢印Ｙ２に示すケース１１の高さ方向を上下方向と示し、図３で矢印Ｙ３に示すケース１１の短手方向を前後方向と示す。
【００２０】
蓋部材１３の外面（上面）には、円柱状（略円柱状）をなす正極端子１５、及び負極端子１６が突出形成されている。なお、正極端子１５及び負極端子１６は、ケース１１（本体部材１２及び蓋部材１３）と絶縁された状態とされている。
【００２１】
また、ケース１１（本体部材１２）には、シート状のセパレータ（隔膜）２３を間に挟んだ状態（介在させた状態）で正極シート２１及び負極シート２２が層状（積層構造）をなす電極体２５が収容（収納）されている。電極体２５は、全体として左右方向に扁平な直方体状（略直方体状）をなしている。なお、電極体２５は、絶縁材料からなる図示しない絶縁袋に覆われた状態でケース１１に収容されている。また、ケース１１内には、例えばリチウムイオン二次電池や、ニッケル水素二次電池というように、二次電池１０の種類に応じた電解質（電解液）が充填されている。
【００２２】
図２に示すように、正極シート２１及び負極シート２２は、矩形のシート状をなす金属シート（金属薄板）としての金属箔２６を備えている。金属箔２６の厚さは、例えば１０μｍ〜５０μｍであり、好ましくは１５μｍ〜２５μｍである。また、金属箔２６は、例えばリチウムイオン二次電池や、ニッケル水素二次電池というように、二次電池１０の種類に応じた金属により形成される。また、金属箔２６に用いられる金属は、正極シート２１と、負極シート２２とでも異なる。例えば、正極シート２１の金属箔２６は、アルミニウムであり、また負極シート２２の金属箔２６は、銅である。
【００２３】
各金属箔２６の両面（前面及び後面）には、各金属箔２６の上辺２６ａから左右方向の全幅にわたって一定幅で設定された未塗工部としての非塗布領域２６ｂを除き、その全面に活物質が塗布され、活物質層２７が形成されている。即ち、非塗布領域２６ｂは、金属箔２６の上辺２６ａに沿って延設されている。なお、金属箔２６には、二次電池１０の種類に応じた活物質が塗布される。また、金属箔２６に塗布される活物質は、正極シート２１と、負極シート２２とでも異なる。
【００２４】
また、各正極シート２１における上辺２６ａの左側には、非塗布領域２６ｂを打ち抜き加工して矩形（略矩形）をなす電極リードとしての正極リード２１ａが上方（蓋部材１３）に向かって延出形成されている。各負極シート２２における上辺２６ａの右側には、非塗布領域２６ｂを打ち抜き加工して矩形（略矩形）をなす電極リードとしての負極リード２２ａが上方（蓋部材１３）に向かって延出形成されている。このため、正極リード２１ａ、及び負極リード２２ａの表面には、活物質層２７が形成されていない。
【００２５】
また、セパレータ２３は、絶縁性を有する樹脂材料からなり、極めて微細な空孔構造をなす矩形の多孔性シートとされている。詳しく説明すると、本実施形態のセパレータ２３は、ポリプロピレンからなる多孔性シートを、ポリエチレンからなる多孔性シートで挟むように積層した多層構造（本実施形態では３層構造）とされている。セパレータ２３は、多孔性シートを構成するポリエチレンの融点（本実施形態では１３５℃〜１４０℃）に達すると、空孔構造が崩壊して細孔が塞がれる。この場合、セパレータ２３は、正極シート２１と負極シート２２との間のイオンの通過を遮断して二次電池１０の内部抵抗を高め、二次電池１０の温度上昇を抑制するようになっている。以下の説明では、セパレータ２３を構成するポリエチレンの融点を特に遮断温度と示す。
【００２６】
そして、電極体２５は、正極シート２１及び負極シート２２の間にセパレータ２３を間に挟んだ状態で、正極シート２１及び負極シート２２を前後方向（厚さ方向）に積層して形成されている。詳しく言えば、電極体２５において、正極シート２１及び負極シート２２は、…→正極シート２１→負極シート２２→正極シート２１…のように、交互に配置されている。本実施形態では、矢印Ｙ３に示す前後方向が電極体２５（正極シート２１及び負極シート２２）の積層方向となる。
【００２７】
図１に示すように、電極体２５において上辺２６ａの左側には、複数の正極リード２１ａがセパレータ２３を間に挟まない状態で層状（積層構造）をなして構成されるリード群としての正極集電部２８が上方に向かって延出形成されている。また、電極体２５において上辺２６ａの右側には、複数の負極リード２２ａがセパレータ２３を間に挟まない状態で層状（積層構造）をなして構成されるリード群としての負極集電部２９が形成されている。本実施形態では、矢印Ｙ２に示す左右方向が正極集電部２８（正極リード２１ａ）及び負極集電部２９（負極リード２２ａ）の延設方向となり、矢印Ｙ１に示す上下方向が、正極集電部２８（正極リード２１ａ）及び負極集電部２９（負極リード２２ａ）の延出方向となる。
【００２８】
そして、正極集電部２８（正極リード２１ａ）と、前述した正極端子１５とは、集電部材としての正極集電端子３０によって電気的に接続されている。また、負極集電部２９（負極リード２２ａ）と、負極端子１６とは、集電部材としての負極集電端子３１によって電気的に接続されている。以下、電極体２５に形成された正極集電部２８（正極リード２１ａ）及び負極集電部２９（負極リード２２ａ）と、各集電端子３０，３１とを各々接合して電気的に接続するための接合構造（接続構造）について、図３〜図５にしたがって詳しく説明する。
【００２９】
なお、図３及び図４は、電極体２５（正極集電部２８）及び正極集電端子３０を下方から見た場合における模式的な斜視図である。また、図３〜図５では、負極シート２２及びセパレータ２３の図示が省略されている。そして、図３〜図５では、簡略化して１１枚の正極シート２１が記載されているが、実際には、電極体２５はさらに多数の正極シート２１を含んで形成されている。
【００３０】
図３及び図４に示すように、正極集電端子３０は、金属（本実施形態ではアルミニウム）からなる。正極集電端子３０は、平面視で矩形平板状をなす平板部３４と、当該平板部３４の下面３４ａにおける周縁部から、電極体２５（正極集電部２８）に向かって垂下された壁部３５とを備え、全体として矩形のキャップ状をなしている。即ち、正極集電端子３０には、正極リード２１ａの先端部２１ｂ（正極集電部２８の先端部２８ａ）から、正極リード２１ａの根元部に向かう方向に延びるとともに、正極リード２１ａの積層方向において正極集電部２８に隣り合うように、正極集電部２８の周囲を囲う壁部３５が形成されている。平板部３４の下面３４ａは、平坦に形成されている。平板部３４において、下面３４ａとは反対面（上面）には、正極端子１５において蓋部材１３の上面から突出する上端部とは反対側の下端部が接合され、電気的に接続されている。
【００３１】
また、壁部３５は、平板部３４の下面３４ａにおける周縁部の全体にわたって形成されることにより、連続した四角環状をなしている。そして、電極体２５の積層方向（前後方向）において、相互に平行をなして対向配置される一対の壁部３５の離間距離は、正極集電部２８における積層方向の大きさより僅かに大きく形成されている。また、正極集電部２８（非塗布領域２６ｂ）の延設方向（左右方向）において、相互に平行をなして対向配置される一対の壁部３５の離間距離は、正極集電部２８における延設方向の大きさよりも僅かに大きく形成されている。
【００３２】
したがって、正極集電端子３０の下面３４ａ側には、平板部３４及び壁部３５により、正極集電部２８をなす正極リード２１ａの先端部２１ｂを収容する収容部３６が形成されている。なお、下面３４ａから壁部３５の下端面までの長さ（即ち収容部３６の深さ）は、例えば１ｍｍ〜１０ｍｍである。そして、図５に示すように、正極集電部２８は、各正極リード２１ａの先端部２１ｂを平板部３４の下面３４ａに接触（当接）させた状態で収容部３６に収容（挿入）されている。また、正極集電部２８は、当該正極集電部２８における延出方向の先端（先端部２８ａ）から一部（本実施形態では半分）が収容部３６に収容（挿入）されている。本実施形態では、正極集電部２８の延出方向（上下方向）が、収容部３６に対する正極集電部２８の挿入方向となる。また、平板部３４の下面３４ａは、各正極リード２１ａの先端部２１ｂ、即ち正極集電部２８の先端部２８ａと対向する対向面となる。
【００３３】
また、正極集電部２８をなす各正極リード２１ａは、接合材としての導電性エポキシ樹脂３３により正極集電端子３０と接合（接着）され、接合部３２が形成されている。これにより、正極集電部２８と正極集電端子３０とは電気的に接続されている。ここで導電性エポキシ樹脂３３は、エポキシ樹脂に充填材として導電性材料の粉末（例えば黒鉛や金属粉）を配合されてなり、導電性を有する。また、本実施形態の導電性エポキシ樹脂３３は、セパレータ２３の遮断温度よりも低い温度（例えば常温〜１２０℃）で硬化するエポキシ樹脂が用いられている。
【００３４】
そして、導電性エポキシ樹脂３３は、正極集電部２８において隣り合う正極リード２１ａの間に形成される隙間３７の少なくとも一部に充填されて、隣り合う正極リード２１ａ同士を接合している。具体的に言えば、導電性エポキシ樹脂３３は、正極集電部２８において正極リード２１ａの間に形成される全ての隙間３７について、下面３４ａから壁部３５の下端面と面一（略面一）となる高さまで、正極集電部２８の延設方向の全幅にわたって充填され、硬化している。
【００３５】
したがって、各隙間３７に充填された導電性エポキシ樹脂３３は、隣り合う正極リード２１ａ同士を一体に接合（固定）するとともに、正極集電部２８（隣り合う正極リード２１ａ）を収容部３６の下面３４ａに接合（固定）している。また、正極集電部２８を構成する各正極リード２１ａは、何れも正極シート２１の面方向と直交する方向へ屈曲されておらず、側面視において端面が直線状となる平面状をなしている。
【００３６】
なお、負極集電端子３１は、正極集電端子３０とは異なる金属（本実施形態では銅）から形成されている点を除いて、正極集電端子３０と同一構成（形状）とされている。また、負極集電端子３１と負極集電部２９との接合構造は、正極集電端子３０と正極集電部２８との接合構造と左右対称とされている。したがって、負極集電端子３１の構成、及び負極集電端子３１と負極集電部２９との接合構造については、同一符号を付すなどしてその説明を省略する。
【００３７】
次に、本実施形態の二次電池１０の作用について説明する。
図５に示すように、本実施形態では、正極集電部２８において隣り合う正極リード２１ａ間の隙間３７の少なくとも一部に、導電性を有する導電性エポキシ樹脂３３が充填されることにより、隣り合う正極リード２１ａ同士を接合するとともに隣り合う正極リード２１ａを正極集電端子３０に接合している。このため、例えば正極リード２１ａの先端部２１ｂでのみ正極集電端子３０と接合する構成と比較して、導電性エポキシ樹脂３３を介して、正極集電端子３０と正極集電部２８との接合面積を拡大し、正極集電部２８と正極集電端子３０との接合部３２における導電性を高めることができる。
【００３８】
また、本実施形態の正極集電端子３０には、収容部３６が形成されている。そして、正極集電部２８は、当該正極集電部２８をなす正極リード２１ａの先端部２１ｂを収容部３６に収容した状態で接合されている。このため、正極集電部２８と正極集電端子３０とをより確実に接合（接着）することができる。また、本実施形態の正極集電端子３０は、平板部３４の下面３４ａが平坦に形成されていることから、正極集電端子３０を簡便に形成することができる。
【００３９】
そして、本実施形態において、正極集電部２８を構成する各正極リード２１ａは、何れも正極シート２１の面方向と直交する方向へ屈曲させない状態のまま正極集電端子３０に接合されている。負極集電部２９を構成する負極リード２２ａについても同様である。
【００４０】
従来、リード群（集電部）は、当該リード群を構成する各電極リードを集電端子側へ屈曲させつつ寄せ集めた状態でスポット溶接などにより接合させるのが一般的であった。しかしながら、このような接合構造では、集電端子から離間した電極シートであるほど電極リードの長さが必要であることに加えて、電極リードを大きく屈曲させる場合には当該屈曲部において電極リードに破損が生じやすくなる。このため、従来の接合構造では、延出方向における電極リードの長さを短縮して、二次電池１０のエネルギー密度を向上させることが難しかった。なお、従来の接合構造によれば、延出方向における電極リードの長さは例えば２０ｍｍ〜３０ｍｍである。
【００４１】
また、上記従来の接合構造では、リード群において各電極リードの先端部の位置ズレが生じ、リード群の先端が鋭角状をなすことが知られている。このため、従来の接合構造では、リード群の先端部が上述した絶縁袋に接触して破損させてしまうことを抑制するため、絶縁袋とリード群の先端との間に間隙（クリアランス）を設ける必要があり、二次電池１０のエネルギー密度を向上させる妨げとなっていた。
【００４２】
これに対して、本実施形態では、正極集電部２８を構成する各正極リード２１ａを屈曲させることなく正極集電端子３０に接合しており、正極リード２１ａにおける延出方向の長さを好適に短縮できる。そして本実施形態では、各正極リード２１ａの隙間３７に導電性エポキシ樹脂３３を充填することにより、正極リード２１ａを屈曲させて正極集電端子３０の下面３４ａに面接触させることなく、接合部３２における導電性を確保している。負極集電部２９と負極集電端子３１との接合についても同様である。
【００４３】
このため、本実施形態の二次電池１０では、体積エネルギー密度や重量エネルギー密度を好適に向上させることができる。即ち、二次電池１０として同一の電池容量のまま小型化したり、同一のサイズのまま高容量化したりできる。
【００４４】
次に、本実施形態の二次電池１０の製造方法について説明する。
まず、正極シート２１、負極シート２２、及びセパレータ２３をそれぞれ用意する。次に、セパレータ２３を間に挟んだ状態で、正極シート２１、及び負極シート２２を積層し、電極体２５を形成する。これにより、電極体２５における上辺２６ａの左側には、正極集電部２８が上方に向かって延出形成される。同様に、電極体２５における上辺２６ａの右側には、負極集電部２９が上方に向かって延出形成される。
【００４５】
また、切削加工やプレス加工により正極集電端子３０を形成するとともに、正極集電端子３０における平板部３４の上面（下面３４ａとは反対面）に正極端子１５を溶接などにより接合し、電気的に接続する。同様にして、負極集電端子３１を形成するとともに、負極集電端子３１における平板部３４の上面に負極端子１６を溶接などにより接合し、電気的に接続する。
【００４６】
次に、下面３４ａを上方に向けた状態で正極集電端子３０及び負極集電端子３１を支持するとともに、収容部３６にそれぞれ硬化前の導電性エポキシ樹脂３３を充填する。続けて、正極集電端子３０の収容部３６に正極集電部２８を挿入し、当該正極集電部２８をなす正極リード２１ａの先端部２１ｂを硬化前の導電性エポキシ樹脂３３に埋設させる。これにより、隣り合う正極リード２１ａの各隙間３７に導電性エポキシ樹脂３３が充填される。同様に、負極集電端子３１の収容部３６に負極集電部２９を挿入し、当該負極集電部２９をなす負極リード２２ａの先端部を硬化前の導電性エポキシ樹脂３３に埋設させる。これにより、隣り合う負極リード２２ａの各隙間に導電性エポキシ樹脂３３が充填される。
【００４７】
そして、正極集電端子３０及び負極集電端子３１を組み付けた電極体２５を加熱器に入れ、セパレータ２３の遮断温度より低い温度（例えば８０℃）で３時間、加熱して導電性エポキシ樹脂３３を完全に硬化させる。これにより、導電性エポキシ樹脂３３は、正極集電部２８において正極リード２１ａの隙間３７に充填された状態で硬化され、各正極リード２１ａ同士や、正極集電部２８と正極集電端子３０とが接着（接合）される。同様に、導電性エポキシ樹脂３３は、負極集電部２９において負極リード２２ａの隙間に充填された状態で硬化され、各負極リード２２ａ同士や、負極集電部２９と負極集電端子３１とが接着（接合）される。
【００４８】
そして、電極体２５を本体部材１２に収容するとともに、この本体部材１２には、正極端子１５及び負極端子１６を上面から突出させつつ蓋部材１３が組み付けられる。そして、ケース１１に電解質（電解液）が充填され、二次電池１０が完成される。
【００４９】
したがって、本実施形態によれば、以下のような効果を得ることができる。
（１）本実施形態では、正極集電部２８において隣り合う正極リード２１ａ間の隙間３７の少なくとも一部に、導電性を有する導電性エポキシ樹脂３３が充填されることにより、隣り合う正極リード２１ａ同士が接合されるとともに、隣り合う正極リード２１ａが正極集電端子３０に接合されている。このため、正極リード２１ａの先端部２１ｂでのみ正極集電端子３０と接合された従来の構成と比較して、正極集電部２８と正極集電端子３０との接合部３２における導電性を高めることができる。したがって、正極集電部２８と正極集電端子３０との接合部３２における電気抵抗を低減し、充放電に伴う発熱を抑制することができる。負極集電部２９と負極集電端子３１との接合についても同様である。
【００５０】
（２）正極集電端子３０には、収容部３６が形成されている。そして、正極集電部２８は、当該正極集電部２８を構成する正極リード２１ａの先端部２１ｂを収容部３６に収容した状態で接合させている。このため、正極集電部２８と正極集電端子３０とをより確実に接合（接着）することができる。負極集電部２９と負極集電端子３１との接合についても同様である。
【００５１】
（３）正極集電端子３０及び負極集電端子３１において、平板部３４の下面３４ａは平坦に形成されている。このため、正極集電端子３０、及び負極集電端子３１を簡便に形成することができる。
【００５２】
（４）正極集電部２８と正極集電端子３０との接合部３２、及び負極集電部２９と負極集電端子３１との接合部３２が充放電に伴って発熱することを抑制できる。このため、接合部３２における発熱によって二次電池１０としての性能に悪影響を及ぼすことを抑制できる。
【００５３】
（５）各正極リード２１ａを屈曲させることなく、正極集電部２８を正極集電端子３０に接合していることから、正極リード２１ａにおける延出方向の長さを好適に短縮できる。そして本実施形態では、各正極リード２１ａの隙間３７に導電性エポキシ樹脂３３を充填することにより、正極リード２１ａを屈曲させて正極集電端子３０の下面３４ａに面接触させることなく、接合部３２における導電性を確保している。負極集電部２９と負極集電端子３１との接合（接合部３２）についても同様である。このため、本実施形態の二次電池１０では、体積エネルギー密度や重量エネルギー密度を好適に向上させることができる。即ち、二次電池１０として同一の電池容量のまま小型化したり、同一のサイズのまま高容量化したりできる。
【００５４】
実施形態は上記のように限定されるものではなく、例えば以下のように具体化してもよい。
○  正極集電端子３０は、下面３４ａの周縁部の一部のみに壁部３５を形成してもよい。例えば、図６に示すように、下面３４ａに一対の壁部３５を設け、当該一対の壁部３５に挟まれた領域を収容部３６としてもよい。また、図７に示すように壁部３５を省略した構成としてもよい。この場合には収容部３６を省略した構成となる。負極集電部２９と負極集電端子３１との接合についても同様に変更できる。
【００５５】
○  図６に示すように、正極集電端子３０において、正極リード２１ａの先端部２１ｂが対向する下面３４ａには、隣り合う正極リード２１ａの間に配置される凸部３５ａを設けてもよい。この凸部３５ａは、例えば下面３４ａにおいて、正極集電部２８の延設方向の全幅にわたって延びる凸条（壁部）としてもよい。また、図７に示すように、各凸部３５ａは、円錐状に形成してもよく、また角錐状に形成してもよい。これによれば、正極リード２１ａと正極集電端子３０とが近接して配置される領域を大きくし、正極集電部２８と正極集電端子３０との接合部３２における電気抵抗をさらに低減することができる。なお負極集電部２９と負極集電端子３１との接合についても同様に変更できる。
【００５６】
○  図８（ａ）に示すように、導電性エポキシ樹脂３３は、各正極リード２１ａの隙間３７において壁部３５の下端面より下方まで充填されていてもよく、隙間３７の全体に充填されていてもよい。この場合、各正極リード２１ａの表面に、正極リード２１ａ（正極集電部２８）の延出方向に沿って延びる微細な溝部を設けるとよい。このような構成によれば、毛細管現象によって硬化前の導電性エポキシ樹脂３３を隙間３７に充填しやすくできる。
【００５７】
○  図８（ａ）に示すように、壁部３５は、壁部３５（収容部３６）の内壁面を下面３４ａに対して傾斜する逆テーパ状に形成し、正極集電部２８の延出方向に直交する方向の断面積が、下面３４ａに近接するほど小さくなるようにしてもよい。即ち、壁部３５において正極集電部２８と対向する面（収容部３６の内壁面）は、壁部３５の先端部側が壁部３５の根元部側よりも正極集電部２８に近づく形状をしていてもよい。さらにこの場合、壁部３５の少なくとも基端部を導電性エポキシ樹脂３３に埋設させるとよい。これによれば、正極集電部２８及び導電性エポキシ樹脂３３が正極集電端子３０から離脱する方向に力が付与された場合であっても、壁部３５における正極集電部２８と対向する面（先端部）が導電性エポキシ樹脂３３と干渉することによって、正極集電部２８及び導電性エポキシ樹脂３３が正極集電端子３０から離脱してしまうことを抑制できる。本別例では、壁部３５は、正極リード２１ａの先端部２１ｂから根元部に向かう方向に延びるとともに、正極リード２１ａの積層方向において正極集電部２８に隣り合う延出部としても機能する。なお負極集電部２９と負極集電端子３１との接合についても同様に変更できる。
【００５８】
○  また、図８（ｂ）及び図８（ｃ）に示すように、正極集電端子３０の下面３４ａには、正極リード２１ａの先端部２１ｂから根元部に向かう方向に延びるとともに、正極リード２１ａの積層方向において正極リード２１ａと隣り合う延出部としての突起部３８を垂下させて形成してもよい。そして、この突起部３８の先端部（下端部）には、正極集電部２８の延出方向と直交する方向の断面積が、突起部３８の根元部の断面積より大きい規制部３８ａを形成するとよい。この場合、突起部３８を導電性エポキシ樹脂３３に埋設させるとよい。規制部３８ａは、図８（ｂ）に示すように球状に形成してもよく、図８（ｃ）に示すように、円錐状に形成してもよい。これによれば、規制部３８ａが導電性エポキシ樹脂３３と干渉することによって、正極集電部２８及び導電性エポキシ樹脂３３が正極集電端子３０から離脱してしまうことを抑制できる。なお突起部３８は、上述した凸部３５ａと兼用した構成としてもよい。本別例では、突起部３８及び規制部３８ａによって延出部が形成される。また、負極集電部２９と負極集電端子３１との接合についても同様に変更できる。
【００５９】
○  平板部３４と壁部３５とを別体に設け、組み合わせて正極集電端子３０及び負極集電端子３１を形成してもよい。
○  導電性エポキシ樹脂３３に代えて、接合材としてのはんだを用いてもよい。この場合、正極集電端子３０及び負極集電端子３１のみを局所的に加熱してはんだを溶融させ、はんだを隙間３７に充填しつつ接合させるとよい。これによれば、電極体２５の温度がセパレータ２３の遮断温度に到達することを抑制しつつ、正極集電部２８と正極集電端子３０、及び負極集電部２９と負極集電端子３１をそれぞれ接合できる。
【００６０】
○  収容部３６は、正極集電部２８や負極集電部２９の全体を収容可能な大きさに形成されていてもよい。
○  平板部３４は、平面視で円形状や三角形状に形成してもよい。
【００６１】
○  電極体２５は、正極シート２１、負極シート２２、及びセパレータ２３を長尺のシート状（帯状）に形成するとともに、セパレータ２３を間に挟んだ状態で、正極シート２１及び負極シート２２を渦まき状に捲回し、正極シート２１及び負極シート２２が層状（積層構造）をなすように形成してもよい。この場合、正極シート２１において幅方向（左右方向）の一方の端部（本別例では左端部）には、正極シート２１の長さ方向に沿って所定間隔で延びるように、幅方向の外側（左側）へ突出する正極リード２１ａを設ける。その一方で、負極シート２２において幅方向の他方の端部（本別例では右端部）には、負極シート２２の長さ方向に沿って所定間隔で延びるように、幅方向の外側（右側）へ突出する負極リード２２ａを設ける。そして、正極シート２１及び負極シート２２を捲回することで、電極体２５の左端部に複数の正極リード２１ａが層状をなす正極集電部２８を形成する一方で、電極体２５の右端部に複数の負極リード２２ａが層状をなす負極集電部２９を形成するとよい。
【００６２】
○  正極集電部２８、及び負極集電部２９は２つ以上形成してもよい。
○  正極集電端子３０、及び負極集電端子３１の形状は適宜変更してもよい。
○  電極体２５は、セパレータ２３を間に挟んだ状態で正極シート２１及び負極シート２２を蛇腹状に折り曲げて積層してもよい。
【００６３】
○  電極体２５を構成する正極シート２１、及び負極シート２２の数は適宜変更してもよい。例えば、正極シート２１、及び負極シート２２をそれぞれ１つ備えた電極体２５としてもよい。
【００６４】
○  ケース１１の形状は、円柱状や、左右方向に扁平な楕円柱状に形成してもよい。
○  本発明は、蓄電装置としての電気二重層キャパシタとして具体化してもよい。
○  上記実施形態の二次電池１０を車両（例えば産業車両や乗用車両など）に搭載し、車両に装備された発電機により充電する一方で、二次電池１０から供給する電力によりエアコン用のコンプレッサや、車輪を駆動するための電動モータ、或いはカーナビゲーションシステムなどの電装品を駆動してもよい。これによれば、正極集電部２８と正極集電端子３０、及び負極集電部２９と負極集電端子３１との接合部３２における発熱によって二次電池１０としての性能に悪影響を及ぼすことを抑制できる。したがって、二次電池１０の交換サイクルが短くなることを抑制できる。
【符号の説明】
【００６５】
１０…二次電池、２１…正極シート、２１ａ…正極リード（電極リード）、２１ｂ…先端部、２２…負極シート、２２ａ…負極リード（電極リード）、２３…セパレータ、２５…電極体、２８…正極集電部（リード群）、２８ａ…先端部、２９…負極集電部（リード群）、３０…正極集電端子（集電部材）、３１…負極集電端子（集電部材）、３３…導電性エポキシ樹脂（接合材）、３４ａ…下面（対向面）、３５…壁部（延出部）、３５ａ…凸部、３６…収容部、３７…隙間、３８…突起部（延出部）、３８ａ…規制部（延出部）。
【図１】
2013168317.tif 000003
【図２】
2013168317.tif 000004
【図３】
2013168317.tif 000005
【図４】
2013168317.tif 000006
【図５】
2013168317.tif 000007
【図６】
2013168317.tif 000008
【図７】
2013168317.tif 000009
【図８】
2013168317.tif 000010